(57)【特許請求の範囲】
【請求項１】
締結体貫通穴を設けた四角形の土台板と、前記土台板の一端から、土台板に対し、ほぼ垂直に上方向に延設した柱板と、前記柱板の終端から土台板と反対の長手方向に土台板とほぼ平行に延設する押え板とからなる瓦押え用金具において、前記土台板の前記柱板と反対側の端から、前記土台板の上面側に曲面状の折り返し部を介し、空間をもって、前記土台板とほぼ平行に補強板を延設し、前記補強板の前記柱板側の端部を前記柱板とほぼ平行に上方へ折り返し、前記土台板と重ねあわせた時、前記土台板に設けた締結体貫通穴とほぼ一致する位置に締結体貫通穴を成形した補強板を設けたことを特徴とする瓦押え用金具。
【請求項２】
請求項１に記載の瓦押え用金具において、前記補強板の長手方向の全長が、前記土台板の長手方向の全長と前記柱板の厚みの総和とほぼ等しいかそれ以上に成形してあることを特徴とする瓦押え用金具。
【請求項３】
請求項１または請求項２に記載の瓦押え用金具において、前記押え板の、前記柱板の反対側の端から前記土台板側に向かって、前記押え板と鈍角を成して延設する引掛け板を設けたことを特徴とする瓦押え用金具。
【請求項４】
請求項１ないし請求項３のいずれかに記載の瓦押え用金具において、前記補強板の締結体貫通穴から前記土台板の締結体貫通穴にわたって上下に貫通する締結体であるねじまたは釘を組み合わせたことを特徴とする瓦押え用金具。
【請求項５】
請求項４に記載の瓦押え用金具において、前記土台板の底面側にて、パッキンを締結体に嵌挿したことを特徴とする瓦押え用金具。
【請求項６】
請求項４または請求項５に記載の瓦押え用金具を用いて、上側瓦の重ね部に前記押え板を載せ、前記柱板を上側瓦の重ね部の側面に沿わせ、次いで、締結体を土台板と補強板が圧着するまで、下側瓦に設けた挿通孔から瓦桟木に固着することを特徴とする瓦止めの施工方法。
【発明の詳細な説明】
【０００１】
【発明の属する技術分野】
この発明は屋根に葺設する瓦を瓦桟木に固定するための瓦押え用金具と、この瓦押え用金具を用いた瓦止めの施工方法に関する。
【０００２】
【従来の技術】
屋根に葺設する瓦を瓦桟木に固定する瓦止めの施工には、幾つかの瓦止め金具がもちいられている。
【０００３】
従来の瓦止め金具としては、例えば、瓦桟木に打ち込み、頭部で瓦の重ね部を押え込む犬釘状のとめ釘がよく使用されていた。
【０００４】
【発明が解決しようとする課題】
しかしながら、この止め釘は、頭部で瓦の重ね部を押さえ込むだけであるので、瓦の固定が強度的に不安定であるとともに、止め釘を打ち込みすぎると、頭部が瓦の重ね部を破損させてしまうという問題がある。
【０００５】
また、この犬釘状のとめ釘は金属製の線材から成形されているため、とめ釘の押え部は金属板のように薄くは成形できず、瓦の種類によってはとめ釘の押え部によって瓦の重ね部に隙間が生じるという問題もある。
【０００６】
【課題を解決するための手段】
上記のような課題を解決するため、請求項１の発明は、締結体貫通穴を設けた四角形の土台板と、前記土台板の一端から、土台板に対し、ほぼ垂直に上方向に延設した柱板と、前記柱板の終端から土台板と反対の長手方向に土台板とほぼ平行に延設する押え板とからなる瓦押え用金具において、前記土台板の前記柱板と反対側の端から、前記土台板の上面側に曲面状の折り返し部を介し、空間をもって、前記土台板とほぼ平行に補強板を延設し、前記補強板の前記柱板側の端部を前記柱板とほぼ平行に上方へ折り返し、前記土台板と重ねあわせた時、前記土台板に設けた締結体貫通穴とほぼ一致する位置に締結体貫通穴を成形した補強板を設けた構成を採用したものである。
【０００７】
請求項２の発明は、請求項１に記載の瓦押え用金具において、前記補強板の長手方向の全長が、前記土台板の長手方向の全長と前記柱板の厚みの総和とほぼ等しいかそれ以上に成形してある構成を採用したものである。
【０００８】
請求項３の発明は、請求項１または請求項２に記載の瓦押え用金具において、前記押え板の、前記柱板の反対側の端から前記上台板側に向かって、前記押え板と鈍角を成して延設する引掛け板を設けた構成を採用したものである。
【０００９】
請求項４の発明は、請求項１ないし請求項３のいずれかに記載の瓦押え用金具において、前記補強板の締結体貫通穴から前記土台板の締結体貫通穴にわたって上下に貫通する締結体であるねじまたは釘を組み合わせた構成を採用したものである。
【００１０】
請求項５の発明は、請求項４に記載の瓦押え用金具において、前記土台板の底面側にて、パッキンを締結体に嵌挿した構成を採用したものである。
【００１１】
請求項６の発明は、請求項４または請求項５に記載の瓦押え用金具を用いて、上側瓦の重ね部に前記押え板を載せ、前記柱板を上側瓦の重ね部の側面に沿わせ、次いで、締結体を土台板と補強板が圧着するまで、下側瓦に設けた挿通孔から瓦桟木に固着することを特徴とする瓦止めの施工方法を採用したものである。
【００１２】
ここで、土台板、補強板、柱板、押え板、および引掛板からなる、金具部はステンレス等の金属板を用いて成形され、補強板が締結体によって、土台板に圧着することにより、補強板の端部が柱板を瓦側に押し込むようになっている。
【００１３】
【発明の実施の形態】
以下、この発明の実施の形態を図示例と共に説明する。
【００１４】
図１に示すように、瓦押え用金具１は締結体貫通穴９を設けた、土台板５と、この土台板５の一端から反転し、空間をもって、重なり側に土台板５と略平行に延設した補強板６と、土台板５の補強板６側と反対の端から補強板６と同方向にてかつ、土台板５に対し、ほぼ垂直に延設し、高さＬ３が上側瓦２１の下部突条２２の高さとほぼ同じに成形した柱板７と、この柱板７の土台板５側と反対の端から土台板５と反対方向に土台板５とほぼ平行に延設し、長さＬ４が下部突条２２の上面の幅と同じか、それ以上に長く成形された押え板８と、押え板８の、柱板８の反対側の端から土台板５側に向って、前記押え板８と鈍角を成して延設する引掛け板９から構成された金具部２と、補強板６の釘穴１０′から土台板５の締結体貫通穴１０にわたって上下に貫通する締結体３と、金具部２の下部位置で、締結体３に嵌挿されたパッキン４から構成されている。
【００１５】
上記、金具部２は１枚のステンレス等の金属板を順次曲げ加工にて成形され、補強板６には、補強板６が締結体３によって土台板５と圧着された時、土台板５に設けた締結体貫通穴１０と一致するように穴１０′を設けてある。また、補強板６の全長Ｌ１は土台板５の全長Ｌ２と柱板７の厚みｈの総和とほぼ等しいか、長く成形されている。
【００１６】
上記締結体締結体３は、図１（Ａ）の場合、ネジ３ａを用い、図１（Ｂ）は釘３ｂを用いた例を示している。
【００１７】
次に、上記瓦押え金具１による瓦止め施工方法を図２と図３を用いて説明する。
【００１８】
図２のように、瓦２１は平面矩形状で一方側部に重ね合わせ用下部突条２２と、他方側部に重ね合わせ用の上部突条２３とが設けられ、瓦２１の棟側に位置させる端部には締結体３の挿通孔２４が設けられ、下側瓦２１′の棟側と上側瓦２１の軒先側の上下に重なる部分が瓦桟木２５で支持され、締結体３は挿通孔２４から瓦桟木２５に打ち込まれることになる。
【００１９】
下側瓦２１′とこれに重ねた上側瓦２１の重なり部分を桟木２５に固定するには先ず、図３（Ａ）の如く、上側瓦２１の下部突条２２に対し、下側瓦２１′に設けた挿通孔２４に締結体の先端部を挿入すると共に、パッキン４を下側瓦２１′に設けた挿通孔２４の直上位置に、柱板７を上側瓦２１の下部突条２２の側面に、そして押え板８を上側瓦２１の下部突条２２の上面に接する様に置いた後、図３（Ｂ）の如く電動工具やネジ回し、または締結体３が釘の場合は金槌を使用して締結体３を、補強板６が土台板５に圧着されるまで瓦桟木２５に打ち込んでいく。補強板６が土台板５に圧着されると補強板６の全長Ｌ１は土台板５の全長Ｌ２と柱板７の厚みｈの総和とほぼ等しいか、長く成形されている為、補強板６の端部１１は柱板７の側面に沿って湾曲しながら、柱板７を上側瓦２１の下部突条２２の側面に押し付け、柱板７と押え板８の上側瓦２１の下部突条２２に対する密着性を向上させると共に、土台板５と柱板７のつなぎ目１２を補強する。また、補強板６の端部１１は柱板７の側面とつなぎ目１２に沿い易くする為、土台板５と反対方向に９０度以上の角度をつけて曲げてあってもよい。
【００２０】
そして、土台板５と補強板６によって下側瓦２１′固定されると共に、パッキン４は圧縮されて、パッキン４の一部は挿通孔２４の内部に食い込んでいき、挿通孔２４を密封シールすることとなり、確実な防水が得られる。このような作業を各瓦毎に繰り返していけば屋根に瓦を葺くことができる。
【００２１】
【発明の効果】
以上のように、この発明によると、締結体貫通穴を設けた、四角形の土台板と、土台板に対し、ほぼ垂直に上方向に延設した柱板と、前記柱板の終端から土台板と反対方向に土台板とほぼ平行に延設する、押え板とからなる瓦押え金具に、前記土台板の前記柱板と反対側の端から、前記土台板の上面側に曲面状の折り返し部を介し、空間をもって、前記土台板とほぼ平行に補強板を延設し、前記補強板の前記柱板側の端部を前記柱板とほぼ平行に上方へ折り返し、前記土台板と重ねあわせた時、前記土台板に設けた締結体貫通穴とほぼ一致する位置に締結体貫通穴を成形した補強板を設け、補強板の長手方向の全長が前記土台板の長手方向の全長と前記柱板の厚みの総和とほぼ等しいか、それ以上に成形してある金具部と、補強板の穴から土台板の締結体貫通穴にわたって上下に貫通する締結体であるねじまたは釘と、金具部の下部位置で、締結体に嵌挿されたパッキンとの組み合わせの採用によって、瓦の重ね合わせ部を破壊することなく、また瓦の重ね部に隙間が生じることなく、瓦の固定強度を大幅に向上させることが出来る。
【００２２】
そして、金具部の下部位置で、締結体に嵌挿されたパッキンが土台板と補強板によって圧縮され、パッキンの一部は下瓦の挿通孔内部に食い込んでいき、挿通孔を密封シールすることとなり、瓦の固定部分の防水が確実に行える。
【００２３】
さらに、瓦押え金具の締結後、上記補強板は締結体の頭部と土台板の間で一部湾曲して締結されるため、締結体に対しバネ効果を発揮し、経年変化による締結体の緩みを防止することが出来る。
【図面の簡単な説明】
【図１】（Ａ）は瓦押え用金具の第１の例を示す縦断正面図、（Ｂ）は瓦押え用金具の第２の例を示す斜視図
【図２】瓦押え用金具と瓦の関係を示す斜視図
【図３】（Ａ）は瓦押え用金具を用いた瓦止めの施工方法を示す初期工程の縦断正面図
（Ｂ）は瓦押え用金具を用いた瓦止めの施工方法を示す締結状態の縦断正面図
【符号の説明】
１  瓦押え用金具
２  金具部
３  締結体
４  パッキン
５  土台板
６  補強板
７  柱板
８  押え板
９  引掛け板
１０  穴
１１  端部
１２  つなぎ目
２１  瓦
２２  下部突条
２３  上部突条
２４  挿通孔
２５  瓦桟木
【図１】
0004157979.tif 000002
【図２】
0004157979.tif 000003
【図３】
0004157979.tif 000004